(57)【要約】【課題】本発明は、配管連結具の装着状態を目視により確認することのできる配管接続具の装着確認具を提供する。【解決手段】本発明の配管連結具の装着確認具１０は、第１連結片３１と第２連結片３５がヒンジ接続により開閉可能に形成され、前記第１連結片と前記第２連結片により配管どうしを連結する配管連結具３０であって、前記第１連結片及び前記第２連結片の外周面に引掛片３３，３７が突設された配管連結具に装着される装着確認具であって、前記配管連結具の外周面に沿う一対の縦フレーム１１，１１と、前記一対の縦フレームの一方の端部どうしを接続する第１横フレーム１２と、前記一対の縦フレームの他方の端部どうしを接続する第２横フレーム１６と、前記第１横フレームから前記第２横フレームに向けて突設された第１爪片１３と、前記第２横フレームから前記第１横フレームに向けて突設された第２爪片１７と、を具える。【選択図】図１
2020020472.tif 000002
【特許請求の範囲】
【請求項１】
本発明の配管連結具の装着確認具は、
第１連結片と第２連結片がヒンジ接続により開閉可能に形成され、前記第１連結片と前記第２連結片により配管どうしを連結する配管連結具であって、前記第１連結片及び前記第２連結片の外周面に引掛片が突設された配管連結具に装着される装着確認具であって、
前記配管連結具の外周面に沿う一対の縦フレームと、
前記一対の縦フレームの一方の端部どうしを接続する第１横フレームと、
前記一対の縦フレームの他方の端部どうしを接続する第２横フレームと、
前記第１横フレームから前記第２横フレームに向けて突設された第１爪片と、
前記第２横フレームから前記第１横フレームに向けて突設された第２爪片と、
を具え、
前記配管連結具の前記第１連結片と前記第２連結片を閉じた状態で、前記第１爪片を前記第１連結片の前記引掛片、前記第２爪片を前記第２連結片の前記引掛片に引っ掛けて、前記配管連結具に装着される、
ことを特徴とする配管連結具の装着確認具。
【請求項２】
前記第１爪片は、前記第１横フレームと直交する方向に揺動可能である、
請求項１に記載の配管連結具の装着確認具。
【請求項３】
前記第２爪片を前記第２連結片の前記引掛片に引っ掛けた状態で、前記第１爪片を前記第１横フレームに対して前記第１連結片に向けて揺動させて、前記第１爪片を前記第１連結片の前記引掛片に引っ掛け、前記第１横フレームを前記第１連結片に向けて押し付けることで前記配管連結具に装着される、
請求項２に記載の配管連結具の装着確認具。
【請求項４】
前記第１連結片と前記第２連結片が完全には閉じていない状態で、前記第２爪片を前記第２連結片の前記引掛片に引っ掛け、前記第１爪片を前記第１横フレームに対して前記第１連結片に向けて揺動させて、前記第１爪片を前記第１連結片の前記引掛片に引っ掛け、前記第１横フレームを前記第１連結片に向けて押し付けることで、前記配管連結具に装着されると共に、前記第１連結片と前記第２連結片が引き寄せられて閉じ状態となる、
請求項２に記載の配管連結具の装着確認具。
【請求項５】
前記第２爪片は、前記第２横フレームの中央に突設された第２爪片本体と、前記第２爪片本体の両側に突設された一対の第２爪片補助体と、を有し、前記第２爪片補助体は、バネ性を具備し、前記第２爪片本体よりも突出している、
請求項１乃至請求項４の何れかに記載の装着確認具。
【発明の詳細な説明】
【技術分野】
【０００１】
本発明は、配管どうしを連結する配管連結具が正しく装着されているか目視により確認することのできる装着確認具に関するものである。
【背景技術】
【０００２】
半導体などのエレクトロニクス分野、医薬分野、バイオテクノロジー分野等における製造、洗浄、組立等の各種装置では、原料用流体、洗浄用流体、燃料用流体等の供給や移送に、フッ素樹脂製の配管が用いられている。
【０００３】
これら配管として、先端に継手の設けられた継手付き配管が提案されており、継手付き配管どうしは、環状のシール部材を介在させて接続される（たとえば特許文献１参照）。
【０００４】
そして、特許文献１では、継手とシール部材を外周側から挟み込む配管連結具を開示している。配管連結具は、半円弧状の第１連結片と第２連結片をヒンジ接続して構成され、第１連結片及び第２連結片の内周には、継手及びシール部材の嵌まる凹溝が形成されている。そして、第１連結片に継手及びシール部材を差し込み、第２１連結片を閉じることで配管どうしの連結状態を維持する。
【先行技術文献】
【特許文献】
【０００５】
【特許文献１】特開２０１７−１８０８１６号公報
【発明の概要】
【発明が解決しようとする課題】
【０００６】
配管連結具は、凹溝に継手及びシール部材を嵌めて、第２連結片を正しく閉じることで配管どうしの連結が担保される。このため、配管連結具が正しく装着されているかどうかを確認する必要があるが、装置には多数の配管連結具が配置されるため、個々の配管連結具の装着状態を確認することは困難であり、また、確認後であっても、装着状態が維持されているかどうか、さらなる確認が必要となる。
【０００７】
本発明は、配管連結具の装着状態を目視により確認することのできる配管接続具の装着確認具を提供することを目的とする。
【課題を解決するための手段】
【０００８】
本発明の配管連結具の装着確認具は、
第１連結片と第２連結片がヒンジ接続により開閉可能に形成され、前記第１連結片と前記第２連結片により配管どうしを連結する配管連結具であって、前記第１連結片及び前記第２連結片の外周面に引掛片が突設された配管連結具に装着される装着確認具であって、
前記配管連結具の外周面に沿う一対の縦フレームと、
前記一対の縦フレームの一方の端部どうしを接続する第１横フレームと、
前記一対の縦フレームの他方の端部どうしを接続する第２横フレームと、
前記第１横フレームから前記第２横フレームに向けて突設された第１爪片と、
前記第２横フレームから前記第１横フレームに向けて突設された第２爪片と、
を具え、
前記配管連結具の前記第１連結片と前記第２連結片を閉じた状態で、前記第１爪片を前記第１連結片の前記引掛片、前記第２爪片を前記第２連結片の前記引掛片に引っ掛けて、前記配管連結具に装着される。
【０００９】
前記第１爪片は、前記第１横フレームと直交する方向に揺動可能な構成とすることができる。
【００１０】
上記装着確認具は、前記第２爪片を前記第２連結片の前記引掛片に引っ掛けた状態で、前記第１爪片を前記第１横フレームに対して前記第１連結片に向けて揺動させて、前記第１爪片を前記第１連結片の前記引掛片に引っ掛け、前記第１横フレームを前記第１連結片に向けて押し付けることで前記配管連結具に装着することができる。
【００１１】
前記第１連結片と前記第２連結片が完全には閉じていない状態で、前記第２爪片を前記第２連結片の前記引掛片に引っ掛け、前記第１爪片を前記第１横フレームに対して前記第１連結片に向けて揺動させて、前記第１爪片を前記第１連結片の前記引掛片に引っ掛け、前記第１横フレームを前記第１連結片に向けて押し付けることで、前記配管連結具に装着されると共に、前記第１連結片と前記第２連結片が引き寄せられて閉じ状態となる構成としてもよい。
【００１２】
前記第２爪片は、前記第２横フレームの中央に突設された第２爪片本体と、前記第２爪片本体の両側に突設された一対の第２爪片補助体と、を有し、前記第２爪片補助体は、バネ性を具備し、前記第２爪片本体よりも突出した構成とすることができる。
【発明の効果】
【００１３】
本発明の配管連結具の装着確認具は、配管連結具の第１連結片及び第２連結片の各引掛片に第１爪片と第２爪片を引っ掛けることで配管連結具に装着される。装着確認具は、配管連結具の第１連結片と第２連結片が正しく閉じられている状態でのみ装着することができ、第１連結片と第２連結片が開いた儘では、引掛片間の距離が長くなって正しく装着できない。従って、装着確認具が配管連結具に装着されていることを確認することで、配管連結具が配管どうしを正しく連結し、第１連結片と第２連結片が閉じていることを担保できる。
【図面の簡単な説明】
【００１４】
【図１】図１は、本発明の一実施形態に係る装着確認具を装着した配管連結具の斜視図である。
【図２】図２は、図１の平面図である。
【図３】図３は、図１の側面図である。
【図４】図４は、図２の線Ａ−Ａに沿う断面図である。
【図５】図５は、図２の線Ｂ−Ｂに沿う断面図である。
【図６】図６は、本発明の一実施形態に係る装着確認具の斜視図である。
【図７】図７は、装着確認具を配管連結具側から見た図である。
【図８】図８は、図６の左側面図である。
【図９】図９は、図７の線Ｃ−Ｃに沿う断面図である。
【図１０】図１０は、図９の丸囲み部Ｅの拡大断面図であって、第１爪片を示している。
【図１１】図１１は、図７の丸囲み部Ｄの拡大図であって、第２爪片を示している。
【図１２】図１２は、装着確認具を配管連結具に装着する過程を示す説明図である。
【図１３】図１３は、開状態にある配管連結具に装着確認具を装着しようとする状態を示す断面図である。
【図１４】図１４は、開状態にある配管連結具に装着確認具を装着する過程を示す説明図である。
【発明を実施するための形態】
【００１５】
以下、本発明の一実施形態に係る装着確認具１０について、図面を参照しながら説明を行なう。
【００１６】
図１乃至図５は、本発明の一実施形態に係る装着確認具１０を装着した配管連結具３０を示している。図に示すように、配管連結具３０は、本実施形態では、略Ｃ字状の第１連結片３１と、第１連結片３１にヒンジ接続部３９により揺動可能に連繋され、第１連結片３１に対して開閉可能な第２連結片３５を具える。第１連結片３１と第２連結片３５の内周には、凹溝３２，３６が形成されており、図示しない継手付き配管の継手どうしを、シール部材を介して突き合わせて第１連結片３１の凹溝３２に収容した状態で、第２連結片３５を閉じることで、継手付き配管の連結状態が維持される。
【００１７】
配管連結具３０は、図１、図４及び図５に示すように、ヒンジ接続部３９とは逆の端縁又は端縁の近傍にそれぞれ引掛片３３，３７が突設されている。引掛片３３，３７は、対向しない面に引掛溝３４，３８が凹設されており、次に説明する装着確認具１０が装着される。引掛片３３，３７は、配管連結具３０を継手付き配管に装着し、第１連結片３１に対して第２連結片３５を閉じ方向に引き寄せる際に、指や治具で摘まむために形成されている。
【００１８】
装着確認具１０は、図１乃至図５に示すように、上記した引掛片３３，３７を利用して配管連結具３０に装着される。装着確認具１０の詳細を図６乃至図１１に示す。装着確認具１０は、図６及び図７に示すように、略矩形に構成された縦フレーム１１１，１１と横フレーム１２，１６、横フレーム１２，１６に設けられた爪片１３，１７を具える。装着確認具１０は、ポリプロピレンなどの樹脂から形成することができ、配管連結具３０に装着されている、或いは、装着されていないことを容易に視認できるように、着色を施すことが望ましい。着色は、装着確認具１０の品番、サイズなどに応じて変えることができる。
【００１９】
縦フレーム１１，１１は、図１、図６乃至図８に示すように、配管連結具３０の外周面に沿う形状であり、図中上端側は配管連結具３０から離れる方向に拡大している。縦フレーム１１，１１は、少なくとも引掛片３３，３７が内部に嵌まる間隔を有する。
【００２０】
横フレーム１２，１６は、図中上側の第１横フレーム１２と下側の第２横フレーム１６であり、縦フレーム１１，１１の端部どうしをそれぞれ連結している。
【００２１】
第１横フレーム１２は、図６、図７、図９及び図１０に示すように、第２横フレーム１６に向けて内向きに突設された第１爪片１３を有する。図示の実施形態では、第１爪片１３は、幅広の板状部材である。第１爪片１３は、第１横フレーム１２と直交する方向に揺動可能に形成される。たとえば、図９及び図１０に示すように、第１爪片１３は、第１横フレーム１２との間に薄肉部１４を有し、薄肉部１４が撓み変形することにより、第１爪片１３を第１横フレーム１２に対して揺動可能とすることができる。
【００２２】
第１爪片１３は、先端１３ａが図４及び図５に示すように、引掛片３３の引掛溝３４に上手く嵌まるようにアール形状としている。また、第１爪片１３は、板状としているため、図１及び図６に示すように、装着される配管連結具３０の種類に応じた品番、サイズ等の記号１５を付することができ、装着確認具１０の種別を視認することができる。
【００２３】
第２横フレーム１６は、図６、図７、図９及び図１１に示すように、第１横フレーム１２に向けて内向きに突設された第２爪片１７を有する。図示の実施形態では、第２爪片１７は、第２横フレーム１６の略中央に突設された第２爪片本体１８と、その両側に突設された略円弧状の第２爪片補助体１９，１９である。
【００２４】
第２爪片本体１８は、先端が引掛片３７の引掛溝３８に上手く嵌まるようにアール形状としており、第１爪片１３に比して幅狭に形成されている。
【００２５】
第２爪片補助体１９，１９は、細幅の四分の一円弧形状であり、先端が第２爪片本体１８よりも突出しており、互いに対向している。第２爪片補助体１９，１９は、細幅形状とすることでバネ性を具備し、第２爪片本体１８を引掛溝３８に嵌めたときにダンパーとして作用し、装着確認具１０のがたつきを抑えることができる。
【００２６】
然して、上記構成の装着確認具１０は配管連結具３０に装着される。図１２は、装着確認具１０を配管連結具３０に装着する過程を示す図である。図に示すように、配管連結具３０は、第１連結片３１と第２連結片３５が閉じた状態で装着確認具１０が装着される。装着確認具１０は、たとえば先に第２爪片１７を引掛片３７の引掛溝３８に嵌める。そして、第１爪片１３を矢印Ｆ方向に配管連結具３０側に押すと、薄肉部１４により第１爪片１３が第１横フレーム１２に対して押し出され、第１爪片１３の先端１３ａが上方に回動する。これにより、第１爪片１３と第２爪片１７との間隔が広がるから、この状態で第１爪片１３を引掛片３３の引掛溝３４に嵌めることができ、このまま装着確認具１０を矢印Ｇに示すように配管連結具３０に向けて押し付ける。これにより、薄肉部１４を可動部として、てこの原理により装着確認具１０が配管連結具３０側に引き上げられつつ引き寄せられ、第２爪片補助体１９，１９が撓んだ状態で、図１乃至図５に示すように、装着確認具１０を配管連結具３０に装着できる。
【００２７】
図４に示すように、装着確認具１０は、第１爪片１３と第２爪片１７の第２爪片本体１８が引掛片３３，３７の引掛溝３４，３８に嵌まり、装着状態を維持する。また、図５に示すように、第２爪片補助体１９は、そのバネ性により撓んだ状態で引掛溝３８に押し付けられ、装着確認具１０のぐらつきを抑えることができる。
【００２８】
本発明の装着確認具１０は、継手付き配管に配管連結具３０を取り付けた後、第１連結片３１と第２連結片３５を完全に閉じた状態でしか装着することができない。従って、装着確認具１０の装着を目視により確認するだけで、配管連結具３０が正しく取り付けられていることを判別できる。一方、装着確認具１０が装着されていない場合には、配管連結具３０が正しく取り付けられていない、或いは、正しく取り付けられていることが確認されていないため、再度配管連結具３０の取付状態を確認し、装着確認具１０を装着すればよい。
【００２９】
図１３は、配管連結具３０の第１連結片３１と第２連結片３５が完全には閉じておらず、開いた状態を示している。この場合、上記と同じ要領で装着確認具１０を装着しようとすると、丸囲み部Ｈで示すように第１爪片１３が引掛片３３と干渉し、装着確認具１０は、配管連結具３０に装着することができないことがわかる。
【００３０】
この場合、第１連結片３１と第２連結片３５を完全に閉じて装着確認具１０を再度装着すればよい。
【００３１】
或いは、図１４に示すように、第２爪片１７を引掛片３７の引掛溝３８に引っかけた状態で、図１４中矢印Ｉで示すように、第１爪片１３をさらに押して回動させる。そして、装着確認具１０を矢印Ｊ方向に示すように配管連結具３０側に押し込み、第１爪片１３の先端１３ａが引掛片３３を超えて引掛溝３４に引っ掛かるように位置させる。この状態から、装着確認具１０を矢印Ｋ方向に引き上げる。これにより、薄肉部１４を可動部として、てこの原理により装着確認具１０は、第２連結片３５を第１連結片３１に近づくように引き寄せるから、開状態にあった第１連結片３１と第２連結片３５を閉じることができる。すなわち、装着確認具１０の装着と同時に第１連結片３１と第２連結片３５が完全に閉じた状態にあることを担保できる。従って、第１連結片３１と第２連結片３５を予め閉じておく作業が不完全であっても装着確認具１０を装着する際に、装着確認具１０により第１連結片３１と第２連結片３５を完全に閉じることができるから、作業性を可及的に高めることができる。
【００３２】
なお、第１爪片１３を引掛溝３４に嵌めた後、矢印Ｋ方向に装着確認具１０を引き上げると、第１爪片１３が引掛溝３４から外れてしまうことがある。この場合、図１４中符号３３ａで示すように第１連結片３１は、引掛片３３に対して引掛溝３４を挟んだ周面に突起を形成しておけばよい。突起３３ａを設けることで、矢印Ｋ方向に装着確認具１０を引き上げたときに、第１爪片１３の先端１３ａが突起３３ａに当たって引掛溝３４から外れ難くすることができ、作業性をさらに高めることができる。
【００３３】
なお、本発明の装着確認具１０を配管連結具３０から取り外す場合には、第１横フレーム１２側を斜め下方に引っ張ればよい。これにより、第１爪片１３の薄肉部１４が撓んで装着確認具１０が傾き、続いて第１爪片１３が引掛溝３４から外れて、配管連結具３０から容易に取り外すことができる。
【００３４】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００３５】
たとえば、上記実施形態では説明のため、第１連結片３１の引掛片３３に第１爪片１３、第２連結片３５の引掛片３７に第２爪片１７を装着しているが、当然、これらを逆に取り付けることもできる。
【００３６】
爪片１３，１７の形状、数、大きさは上記実施形態に限定されるものではなく、たとえば、第１爪片１３と第２爪片１７を同じ形状することもできる。また、第２爪片１７は、第２爪片本体１８のみ、或いは、第２爪片補助体１９のみとすることも勿論可能である。さらには、配管連結具３０の形状、構成も上記実施形態に限定されないことは勿論である。
【符号の説明】
【００３７】
１０  装着確認具
１１  縦フレーム
１２  第１横フレーム
１３  第１爪片
１６  第２横フレーム
１７  第２爪片
３０  配管連結具
【図１】
2020020472.tif 000003
【図２】
2020020472.tif 000004
【図３】
2020020472.tif 000005
【図４】
2020020472.tif 000006
【図５】
2020020472.tif 000007
【図６】
2020020472.tif 000008
【図７】
2020020472.tif 000009
【図８】
2020020472.tif 000010
【図９】
2020020472.tif 000011
【図１０】
2020020472.tif 000012
【図１１】
2020020472.tif 000013
【図１２】
2020020472.tif 000014
【図１３】
2020020472.tif 000015
【図１４】
2020020472.tif 000016